(57)【要約】【課題】軒天野縁に軒天板を釘等の留付部材で留め付ける工法を用いつつ、火災時に前記軒天板が脱落するのを防止できる軒天構造を提供する。【解決手段】軒先側に位置する鼻隠し下地１２と、軒天板１７の軒先側が取り付けられる軒先側軒天野縁１３と、前記軒天板１７の軒先側と前記軒先側軒天野縁１３との間及び前記鼻隠し下地１２の下側に位置して前記鼻隠し下地１２に固定される軒先側見切１４の裏側板１４ａと、前記軒天板１７及び前記裏側板１４ａを貫通して前記軒天板１７を前記軒先側軒天野縁１３に留め付ける釘１９と、を備えた。【選択図】図１
2016017272.tif 000002
【特許請求の範囲】
【請求項１】
軒先側に位置する軒先側建物下地と、軒天板の軒先側が取り付けられる軒先側軒天野縁と、前記軒天板の軒先側と前記軒先側軒天野縁との間及び前記軒先側建物下地の下側に位置して前記軒先側建物下地に固定される保持金物と、前記軒天板及び前記保持金物を貫通して前記軒天板を前記軒先側軒天野縁に留め付ける軒天留付部材と、を備えることを特徴とする軒天構造。
【請求項２】
請求項１に記載の軒天構造において、前記保持金物が軒先側見切の一部をなすことを特徴とする軒天構造。
【請求項３】
請求項２に記載の軒天構造において、前記軒先側見切の本体部と前記保持金物とが分離していることを特徴とする軒天構造。
【請求項４】
請求項２または請求項３に記載の軒天構造において、前記軒天板に露呈する前記軒天留付部材の頭部が前記軒先側見切によって覆われることを特徴とする軒天構造。
【請求項５】
請求項２に記載の軒天構造において、前記軒先側見切の本体部と前記保持金物とが一体であることを特徴とする軒天構造。
【請求項６】
請求項２〜請求項５のいずれか１項に記載の軒天構造において、前記軒天板の軒先側を下から受け止める軒先見切補強部材が前記軒先側見切の内側に配置されて前記軒先側建物下地に固定されることを特徴とする軒天構造。
【請求項７】
請求項１〜請求項６のいずれか１項に記載の軒天構造において、前記軒天板の軒元側が取り付けられる軒元側軒天野縁と、前記軒天板の軒元側と前記軒元側軒天野縁との間に裏側片部を位置させて軒元側建物下地に固定される軒元側見切と、前記軒天板及び前記軒元側見切の裏側片部を貫通して前記軒元側軒天野縁に前記軒天板を留め付ける軒天留付部材と、を備えることを特徴とする軒天構造。
【請求項８】
請求項７に記載の軒天構造において、前記軒天板の軒元側を下から受け止める軒元見切補強部材が前記軒元側見切の内側に配置されて前記軒元側建物下地に固定されることを特徴とする軒天構造。
【請求項９】
請求項８に記載の軒天構造において、前記軒元側見切を貫通する前記軒天留付部材が前記軒元見切補強部材も貫通して前記軒元側軒天野縁に固定されることを特徴とする軒天構造。
【請求項１０】
請求項１〜請求項６のいずれか１項に記載の軒天構造において、前記軒天板の軒元側の下方に外壁材の上端が位置することを特徴とする軒天構造。
【請求項１１】
請求項１〜請求項１０のいずれか１項に記載の軒天構造において、前記軒天留付部材は外周に凹凸を有する釘からなることを特徴とする軒天構造。
【発明の詳細な説明】
【技術分野】
【０００１】
この発明は、建物の軒天構造に関する。
【背景技術】
【０００２】
図６に示すように、従来の軒天構造において、軒天板１０１は、軒先側軒天野縁１０３及び軒元側軒天野縁１０５にそれぞれ釘１０２によって固定される。前記軒先側軒天野縁１０３は、水平方向に打ち込まれた釘１０４によって鼻隠し下地１１２に固定され、この鼻隠し下地１１２に鼻隠し１１１が固定される。また、前記軒元側軒天野縁１０５は、水平方向に打ち込まれた螺子釘１０６によって外壁材１１３及び外壁下地１１４に固定される。
【０００３】
また、特許文献１には、軒天材の基端部と、建物の躯体にこの躯体との間に所定間隔を隔てて取り付けられた外装材の上端部との間に、軒天見切材を設けて、外装材勝ちの構造とし、外壁内部の空間と屋根裏部とを連通させて、外壁内部の通気路を確保し、また、軒天見切材の係合部の裏側が外装材の上端部表面に当接されるように構成した軒天構造が開示されている。
【０００４】
また、特許文献２には、断面Ｗ字形状の受け金具の取付片が鼻隠し下地に固定され、軒天井板が受け金具の受け片に載置されると共に、受け金具の切欠部から断面コ字形状の拘束金具の上片が挿通されて軒天井板の上面に当接し、拘束金具の下片が軒天井板を載置した受け金具の受け片の下面に当接して該拘束金具により軒天井板と受け金具の受け片とが挟持して拘束され、軒天井板の外壁面側の端部が壁際野縁に固定された軒天構造が開示されている。
【先行技術文献】
【特許文献】
【０００５】
【特許文献１】特許第４４６９０７５号
【特許文献２】特許第４８４３３６５号
【発明の概要】
【発明が解決しようとする課題】
【０００６】
しかしながら、前記従来の軒天構造では、建物の屋外（隣家等）で火災が発生して軒天に延焼した場合、不燃材料や準不燃材料である軒天板１０１の燃焼は防がれるものの、当該軒天板１０１から伝わった熱によって前記軒先側軒天野縁１０３及び前記軒元側軒天野縁１０５が燃焼若しくは炭化してしまうことがある。このような場合、前記軒先側軒天野縁１０３及び前記軒元側軒天野縁１０５の釘１０２を保持する力が低下して前記軒天板１０１が脱落する。前記軒天板１０１が脱落すると、炎が直接に軒裏（小屋裏）に入り込み、軒裏から屋根が燃焼して建物が倒壊するおそれがある。
【０００７】
また、前記特許文献１に開示された軒天構造も、軒元側の野縁が燃焼してしまうと、軒天見切材を支持できなくなり、軒天板が脱落するおそれがある。
【０００８】
一方、特許文献２に開示された軒天構造は、鼻隠し下地に受け金具を取り付け、この受け金具で軒天板の軒先側を支持するため、軒天板の下側から木材等の軒天野縁に釘を打ち込んで軒天板を留め付けるというこれまでの施工法を実施できない欠点がある。
【０００９】
そこで、この発明は、軒天野縁に軒天板を釘等の留付部材で留め付ける工法を用いつつ、火災時に前記軒天板が脱落するのを防止できる軒天構造を提供することを課題とするものである。
【課題を解決するための手段】
【００１０】
前記の課題を解決するこの発明の軒天構造は、軒先側に位置する軒先側建物下地と、軒天板の軒先側が取り付けられる軒先側軒天野縁と、前記軒天板の軒先側と前記軒先側軒天野縁との間及び前記軒先側建物下地の下側に位置して前記軒先側建物下地に固定される保持金物と、前記軒天板及び前記保持金物を貫通して前記軒天板を前記軒先側軒天野縁に留め付ける軒天留付部材と、を備えることを特徴とする。
【００１１】
この構成であれば、火災時の熱で前記軒先側軒天野縁が炭化等したとしても、前記保持金物は前記軒先側建物下地に固定されているために脱落せず、また、前記軒天留付部材が前記保持金物に貫通して当該保持金物に保持されているため、当該軒天留付部材は前記保持金物から脱落することがない。即ち、軒天野縁に軒天板を留付部材で留め付ける工法を用いつつ、火災時の前記軒天野縁の炭化等によって前記軒天板が脱落するのを防止できる。前記軒天板の脱落を防止できることで、軒裏（小屋裏）に炎が廻り難くなり、屋根、垂木、桁への延焼を防ぎ、屋根の崩落や倒壊を防ぐことができる。
【００１２】
前記保持金物が軒先側見切の一部をなしてもよい。また、このように前記保持金物が軒先側見切の一部をなす構成において、前記軒先側見切の本体部と前記保持金物とが一体であってもよいし、前記軒先側見切の本体部と前記保持金物とが分離していてもよい。このように分離された構造であれば、前記軒天留付部材で前記軒天板の軒先側を留め付けた後に、前記軒先側見切の本体部を前記軒先側建物下地に固定することができる。従って、軒先側に見切を先に取り付けた状態で前記軒天板を装着する場合の問題、即ち軒先側の見切と軒元側の見切の間隔を前記軒天板の幅よりも大きくするために、隙間が大きく生じるという問題を解消することができる。
【００１３】
前記軒天板に露呈する前記軒天留付部材の頭部が前記軒先側見切によって覆われるのが好ましい。このような構成であれば、軒天部の美観が向上する。
【００１４】
前記軒天板の軒先側を下から受け止める軒先見切補強部材が前記軒先側見切の内側に配置されて前記軒先側建物下地に固定されてもよい。これによれば、前記軒先見切補強部材によって前記軒天板の軒先側が下から受け止められるので、前記軒天板が脱落するのを防止する能力を強化できる。
【００１５】
前記軒天板の軒元側が取り付けられる軒元側軒天野縁と、前記軒天板の軒元側と前記軒元側軒天野縁との間に裏側片部を位置させて軒元側建物下地に固定される軒元側見切と、前記軒天板及び前記軒元側見切の裏側片部を貫通して前記軒元側軒天野縁に前記軒天板を留め付ける軒天留付部材と、を備えるのが好ましい。このような構成であれば、軒元側においても、軒天野縁に軒天板を留付部材で留め付ける工法を用いつつ、火災時の前記軒天野縁の炭化等によって前記軒天板が脱落するのを防止できる。
【００１６】
前記軒天板の軒元側を下から受け止める軒元見切補強部材が前記軒元側見切の内側に配置されて前記軒元側建物下地に固定されてもよい。これによれば、前記軒元見切補強部材によって前記軒天板の軒元側が下から受け止められるので、前記軒天板が脱落するのを防止する能力を強化できる。
【００１７】
前記軒元側見切を貫通する前記軒天留付部材が前記軒元見切補強部材も貫通して前記軒元側軒天野縁に固定されてもよい。このような構造であれば、前記軒天留付部材が前記軒元見切補強部材によっても保持されるので、前記軒天留付部材の保持能力を強化できる。
【００１８】
前記軒天板の軒元側の下方に外壁材の上端が位置してもよい。このような構成であれば、軒元側に見切を設けない構造とすることができ、また、軒天施工後に外壁材を設けるといった工法を採用することができる。
【００１９】
前記軒天留付部材は外周に凹凸を有する釘からなるのが好ましい。この構成であれば、前記軒天留付部材が前記軒元側見切から抜け難くなり、前記軒天板が一層脱落し難くなる。
【発明の効果】
【００２０】
以上のように、この発明の軒天構造であれば、軒天野縁に軒天板を留付部材で留め付ける工法を用いつつ、火災時に前記軒天板が脱落するのを防止できる。前記軒天板が脱落するのを防止できることで、軒裏（小屋裏）に炎が廻り難くなり、屋根、垂木、桁への延焼を防ぎ、屋根の崩落や倒壊を防ぐことができる。
【図面の簡単な説明】
【００２１】
【図１】は、本発明の実施形態にかかる軒天構造を示した説明図である。
【図２】は、図１中の釘を示した拡大図である。
【図３】は、本発明の他の実施形態にかかる軒天構造を示した説明図である。
【図４】の（Ａ）は、本発明の他の実施形態にかかる軒天構造を示した説明図であり、図４の（Ｂ）は軒先見切補強部材の断面図であり、図４の（Ｃ）は軒元見切補強部材の断面図である。
【図５】は、本発明の他の実施形態にかかる軒天構造を示した説明図である。
【図６】は、従来の軒天構造を示した説明図である。
【発明を実施するための形態】
【００２２】
以下、この発明の実施形態を添付図面に基づき具体的に説明する。
図１に示すように、この実施形態の軒天構造においては、軒元側見切１が、水平方向に打ち込まれた螺子釘４によって、外壁材２及び外壁下地（軒元側建物下地）３に固定されている。前記軒元側見切１は、上側水平部（裏側片部）と、下側水平部と、立上部とを備えて断面略コ字形状を有している。前記立上部に前記螺子釘４が貫通している。前記軒元側見切１の上側水平部上に軒元側軒天野縁５が位置する。
【００２３】
前記軒元側軒天野縁５は、水平方向に打ち込まれた螺子釘６によって前記外壁材２及び外壁下地（軒元側建物下地）３に固定されている。前記軒元側見切１の上側水平部と下側水平部との間に軒天板１７の軒元側が差し込まれる。この軒天板１７の軒元側は、下側から鉛直方向に打ち込まれた釘（軒天留付部材）７によって前記軒元側見切１及び前記軒元側軒天野縁５に固定されている。前記軒元側見切１は、前記釘７が貫通することができ、当該釘７を保持することを担保できる厚さ（例えば、０．２〜０．８ｍｍ）の鋼板等により作製されている。
【００２４】
前記釘７は、図２に示しているように、外周に凹凸を有しており、抜けが生じ難いようになっている。そして、前記凹凸における各凸部は、釘先端側よりも頭部側の外周が大きい返し形状を有しており、さらに抜けが生じ難いようになっている。
【００２５】
また、図１に示したように、軒先側軒天野縁１３は、水平方向に落ち込まれた釘１６によって鼻隠し下地（軒先側建物下地）１２の下端に固定されている。前記鼻隠し下地１２に鼻隠し１１が取り付けられる。また、前記鼻隠し下地１２の下端には軒先側見切１４の裏側板１４ａが設けられている。軒先側見切１４は、前記裏側板１４ａと表側板（本体部）１４ｂとからなる。これら裏側板１４ａと表側板１４ｂは分離可能である。この実施形態では、前記裏側板１４ａが保持金物となる。即ち、前記裏側板１４ａは、前記軒天板１７の軒先側と前記軒先側軒天野縁１３との間及び前記鼻隠し下地１２の下側に位置しており、当該鼻隠し下地１２に、下側から鉛直方向に打ち込まれた釘１５によって固定されている。前記釘１５は、前記釘７と同様に外周に凹凸を有しており、抜けが生じ難いようになっている。
【００２６】
前記軒天板１７の軒先側は、下側から鉛直方向に打ち込まれた釘（軒天留付部材）１９によって、前記軒先側軒天野縁１３及び前記裏側板１４ａに固定される。前記釘１９は、前記釘７と同様に外周に凹凸を有しており、抜けが生じ難いようになっている。また、前記裏側板１４ａは、前記釘１９が貫通することができ、当該釘１９の保持を担保できる厚さ（例えば、０．２〜０．８ｍｍ）の鋼板等により作製されている。また、前記裏側板１４ａは、前記表側板１４ｂと同寸の長さで隙間無く設けられてもよいし、或いは少なくとも前記釘１５及び釘１９が打ち込まれる箇所に点在的に配置されてもよい。
【００２７】
前記表側板１４ｂは、段形状を有しており、下段部を前記軒天板１７の軒先下面側に位置させ、上段部を前記裏側板１４ａの基部側に対向させて設けられている。前記釘１５の頭部は前記上段部によって覆われる。そして、前記上段部に下側から鉛直方向に打ち込まれて前記裏側板１４ａ及び前記鼻隠し下地１２を貫通する螺子釘１８によって、前記表側板１４ｂが前記鼻隠し下地１２に固定されている。
【００２８】
前記軒天板１７の軒先側は、前記表側板１４ｂが固定される前の段階で前記軒先側軒天野縁１３及び前記裏側板１４ａに固定される。例えば、前記軒元側見切１及び前記軒先側見切１４の裏側板１４ａが取り付けられた後に、前記軒天板１７を施工する。この施工においては、前記軒天板１７の軒元側を前記軒元側見切１に差し込み、前記軒天板１７の軒先側を、前記釘１９によって、前記軒先側軒天野縁１３及び前記裏側板１４ａに固定する。その後に、前記表側板１４ｂを固定する。
【００２９】
このような軒天構造において、火災時の熱で前記軒元側軒天野縁５が炭化等したとしても、前記軒元側見切１は前記外壁材２に固定されているために脱落せず、また、前記釘７が前記軒元側見切１の上側水平部を貫通して当該軒元側見切１に保持されているため、前記軒天板１７の軒元側が前記軒元側見切１から脱落することがない。同様に、前記裏側板１４ａは前記鼻隠し下地１２に固定されているために脱落せず、また、前記釘１９が前記裏側板１４ａを貫通して当該裏側板１４ａに保持されているため、前記軒天板１７の軒先側が前記裏側板１４ａから脱落することがない。
【００３０】
即ち、軒天野縁５，１３に軒天板１７を釘等の留付部材で留め付ける工法を用いつつ、火災時の前記軒天野縁５，１３の炭化等によって前記軒天板１７が脱落するのを防止できる。前記軒天板が脱落するのを防止できることで、軒裏（小屋裏）に炎が廻り難くなり、屋根、垂木、桁への延焼を防ぎ、屋根の崩落や倒壊を防ぐことができる。
【００３１】
また、この実施形態では、前記軒先側見切１４は、前記裏側板（保持金物）１４ａと前記表側板（本体部）１４ｂとが分離する構造になっているので、前記釘１９によって前記軒天板１７の軒先側を留め付けた後に、前記表側板１４ｂを前記鼻隠し下地１２に固定することができる。
【００３２】
ここで、前記裏側板１４ａと前記表側板１４ｂとが一体化している軒先側見切の実施形態を図３に示す。なお、図１に示された部材と同一の部材には同一の符号を附記して説明を省略する。この一体化された軒先側見切１４０は、例えば１枚板を折り曲げて作製される。また、一体化された軒先側見切１４０は、前記裏側板１４ａを先に固定する前記釘１５は用いず、前記螺子釘１８だけで前記鼻隠し下地１２に固定される。
【００３３】
ただし、一体化された軒先側見切１４０については、これを取り付けた後に前記軒天板１７の施工を行う場合には、図３に示しているように、軒先側見切１４０と軒元側見切１の間隔を前記軒天板１７の幅よりも大きくする必要があるため、前記軒天板１７と見切りの間に大きな隙間Ｇが生じる。
【００３４】
一方、図１に示した前記裏側板１４ａと前記表側板１４ｂとが分離できる構造であれば、前記軒天板１７と見切りとの間に大きな隙間が生じるのを回避できる。なお、前記保持金物が前記裏側板１４ａであることに限定されるものではなく、当該保持金物を軒先側見切とは関係しない別個の部材とすることもできる。
【００３５】
また、図１および図３に示した実施形態では、前記軒天板１７の表側に前記釘１９の頭部が露呈されるが、前記表側板１４ｂの下段部を長くし、この表側板１４ｂによって前記頭部が覆われるようにしてもよい。これによれば、軒天部の美観が向上する。
【００３６】
次に、本発明の他の実施形態を図４に基づき説明する。なお、図１に示された部材と同一の部材には同一の符号を附記して説明を省略する。この実施形態の軒天構造においては、図４（Ａ）に示すように、前記軒天板１７の軒先側を受ける軒先見切補強部材２１が、前記分離型の軒先側見切１４の内側に配置されて前記鼻隠し下地１２に固定されている。前記軒先見切補強部材２１は、図４（Ｂ）にも示すように、上段部２１ａと立上部２１ｂと下段部２１ｃとを備えた段形状を有している。
【００３７】
前記上段部２１ａは、前記裏側板１４ａと前記表側板１４ｂにおける上段部との間に位置する。前記立上部２１ｂは、前記表側板１４ｂにおける立上部と前記軒天板１７の軒先端との間に位置する。また、前記下段部２１ｃは、前記表側板１４ｂにおける下段部と前記軒天板１７の軒先側下面との間に位置する。前記軒先見切補強部材２１は、例えば、前記軒先側見切１４と同様の素材により、また、前記軒先側見切１４と同様の長尺寸法で作成できる。前記軒先側見切１４を固定する前記螺子釘１８が前記上段部２１ａをも貫通することで、前記軒先見切補強部材２１が前記鼻隠し下地１２に固定される。前記軒先見切補強部材２１によって前記軒天板１７の軒先側が受け止められるので、前記軒天板１７が脱落するのを防止する能力を強化できる。なお、前記一体化された軒先側見切１４を用いる構造においても、前記軒先見切補強部材２１を設けることが可能である。
【００３８】
また、この実施形態の軒天構造においては、前記軒天板１７の軒元側を下から受け止める軒元見切補強部材２２を備えている。この軒元見切補強部材２２は、前記軒元側見切１の内側に位置し、前記外壁下地３に固定されている。前記軒元見切補強部材２２は、図４（Ｃ）にも示すように、上側水平部２２ａと、立上部２２ｂと、下側水平部２２ｃと、を備えた断面略コ字形状を有している。前記軒元見切補強部材２２は、例えば、前記軒元側見切１と同様の素材により、また、前記軒先側見切１４と同様の長尺寸法で作成できる。前記軒元見切補強部材２２は、前記立上部２２ｂを貫通する前記螺子釘４によって前記外壁下地３に固定される。前記軒元見切補強部材２２によって前記軒天板１７の軒元側が受け止められるので、前記軒天板１７が脱落するのを防止する能力を強化できる。さらに、この実施形態では、前記軒元側見切１の上側水平部（裏側片部）を貫通する前記釘７が、前記軒元見切補強部材２２の上側水平部２２ａも貫通している。このような構造であれば、前記釘７が前記軒元見切補強部材２２によっても保持されるので、前記釘７の保持能力を強化できる。
【００３９】
次に、本発明の他の実施形態を図５に基づき説明する。なお、図１に示された部材と同一の部材には同一の符号を附記して説明を省略する。この実施形態の軒天構造は、軒元側見切１は設けておらず、軒元側軒天野縁５に軒天板１７の軒元側が釘７によって固定されている。前記軒元側軒天野縁５は螺子釘６によって外壁下地３に固定されている。そして、外壁材２の上端が前記軒天板１７の軒元側の下方に近接して位置している。前記釘７は前記外壁材２の上端によって隠される位置に打ち込まれる。
【００４０】
このような軒天構造であれば、火災時の熱で前記軒元側軒天野縁５が炭化等したとしても、前記軒天板１７の軒元側が前記外壁材２によって下から支えられるため、当該軒天板１７の軒元側が脱落することがない。よって、前記軒元側見切１を設けなくても、前記軒天板１７の軒元側の脱落が防止できる。また、前記軒天板１７の軒天施工後に前記外壁材２を設けるといった工法を採用できる。
【符号の説明】
【００４１】
１      軒元側見切
２      外壁材
３      外壁下地（軒元側建物下地）
４      螺子釘
５      軒元側軒天野縁
６      螺子釘
７      釘（軒天留付部材）
１１    鼻隠し
１２    鼻隠し下地（軒先側建物下地）
１３    軒先側軒天野縁
１４    軒先側見切（分離型）
１４０  軒先側見切（一体型）
１４ａ  裏側板（保持金物）
１４ｂ  表側板（本体部）
１５    釘
１６    螺子釘
１７    軒天板
１８    螺子釘
１９    釘（軒天留付部材）
２１    軒先見切補強部材
２２    軒元見切補強部材
【図１】
2016017272.tif 000003
【図２】
2016017272.tif 000004
【図３】
2016017272.tif 000005
【図４】
2016017272.tif 000006
【図５】
2016017272.tif 000007
【図６】
2016017272.tif 000008